(57)【要約】【課題】容易に丸めることができる帽子を提供する。【解決手段】ヒサシ部１が、樹脂製表生地２と、樹脂製裏生地と、表生地２と裏生地の間に介在した発泡樹脂から成る芯材と、を有した積層構造であって、前後方向に平行に縞模様を形成するように、表生地２と裏生地と芯材とを溶着した溶着部５を設ける。芯材の発泡率を７％以上30％以下に設定する。表生地２及び裏生地がポリエステル糸を用いて伸縮性のある編み方をされた生地から成るとともに、芯材がポリエチレンから成る。溶着部５に於て、芯材が溶けて表生地２と裏生地に浸みている。【選択図】図１
2016011480.tif 000002
【特許請求の範囲】
【請求項１】
ヒサシ部（１）が、樹脂製表生地（２）と、樹脂製裏生地（３）と、上記表生地（２）と裏生地（３）の間に介在した発泡樹脂から成る芯材（４）と、を有した積層構造であって、
前後方向に平行に縞模様を形成するように、上記表生地（２）と裏生地（３）と芯材（４）とを溶着した溶着部（５）を設けたことを特徴とする帽子。
【請求項２】
上記芯材（４）の発泡率を７％以上30％以下に設定した請求項１記載の帽子。
【請求項３】
上記表生地（２）及び裏生地（３）がポリエステル糸を用いて伸縮性のある編み方をされた生地から成るとともに、上記芯材（４）がポリエチレンから成る請求項１又は２記載の帽子。
【請求項４】
上記溶着部（５）に於て、上記芯材（４）が熱によって溶けて上記表生地（２）と裏生地（３）に浸みて一体化している請求項１，２又は３記載の帽子。
【発明の詳細な説明】
【技術分野】
【０００１】
本発明は、帽子に関する。
【背景技術】
【０００２】
一般に、ヒサシ部を有する帽子は、ヒサシ部の外形に平行な曲線の縫い目を有する（例えば、特許文献１参照）。
【０００３】
しかし、ポケットに収納しようとするために帽子を丸めようとしても、元の形状へ戻ろうとする復元力が大きく、丸めにくいという欠点があった。
【先行技術文献】
【特許文献】
【０００４】
【特許文献１】特開平６−３１６８０７号公報
【発明の概要】
【発明が解決しようとする課題】
【０００５】
解決しようとする課題は、容易に丸めることができない点である。
【課題を解決するための手段】
【０００６】
そこで、本発明に係る帽子は、ヒサシ部が、樹脂製表生地と、樹脂製裏生地と、上記表生地と裏生地の間に介在した発泡樹脂から成る芯材と、を有した積層構造であって、前後方向に平行に縞模様を形成するように、上記表生地と裏生地と芯材とを溶着した溶着部を設けたものである。
また、上記芯材の発泡率を７％以上30％以下に設定したものである。
また、上記表生地及び裏生地がポリエステル糸を用いて伸縮性のある編み方をされた生地から成るとともに、上記芯材がポリエチレンから成るものである。
また、上記溶着部に於て、上記芯材が熱によって溶けて上記表生地と裏生地に浸みて一体化しているものである。
【発明の効果】
【０００７】
本発明の帽子によれば、容易に丸めることができる。また、容易に製造することができる。耐久性にも優れる。
【図面の簡単な説明】
【０００８】
【図１】本発明の実施の一形態を示す平面図である。
【図２】縦長に丸めた状態を示す正面図である。
【図３】ポケットに収納可能に丸めた状態を示す正面図である。
【図４】要部拡大断面図である。
【図５】製法を示す説明図である。
【図６】製法を示す説明図である。
【発明を実施するための形態】
【０００９】
以下、図示の実施の形態に基づいて本発明を詳説する。
図１は、本発明の実施の一形態を示し、この帽子は、バイザーを例示し、ヒサシ部１を有する。図２に示すように、縦長に丸めた後、図３に示すように半分に折曲げて、容易に丸めることができる。そして、ポケット（図示省略）や袋等に収納することができて至便である。
【００１０】
図４に示すように、ヒサシ部１が、樹脂製表生地２と、樹脂製裏生地３と、表生地２と裏生地３の間に介在した発泡樹脂から成る芯材４と、を有した積層構造である。表生地２及び裏生地３がポリエステル糸を用いて伸縮性のある編み方―――例えばゴム編み―――をされた生地から成るとともに、芯材４がポリエチレンから成る。芯材４の発泡率を７％以上30％以下に設定する。発泡率が７％未満の場合、丸めようとしても復元力が大きく丸めにくい。発泡率が30％を超える場合、使用時の形状保持強度が不足する。
【００１１】
前後方向に平行に（巨視的に見て）縞模様を形成するように、表生地２と裏生地３と芯材４とを溶着（融着）した溶着部（融着部）５が設けられる。溶着は、高周波溶着、熱溶着、超音波溶着のいずれでも良い。縞模様は、２本１組で、ハの字型が（前後方向に）並んだ形状と、逆ハの字型が（前後方向に）並んだ形状が、左右交互に配設される。溶着部５に於て、芯材４が熱によって溶けて表生地２と裏生地３に浸みて表生地２と裏生地３が一体化されている。なお、溶着部５以外の部分は、表生地２、裏生地３、芯材４は、相互に接着等されておらず、全体として柔軟性が良い。なお、図５に示す溶着前の状態で、芯材４の厚さ寸法は、表生地２・裏生地３の厚さ寸法の７倍〜20倍とするのが良い。
【００１２】
次に、ヒサシ部１の製法について説明する。まず、図５に示すように、表生地２と裏生地３にて芯材４をサンドイッチ状に積層する。そして、図６に示すように、積層状態で溶着機Ａに通過させて、溶着部５を形成する。その後、ヒサシ部１の形状（図６の２点鎖線）に打抜き（型抜き）する。
【００１３】
なお、本発明は、設計変更可能であって、例えば、縞模様が、巨視的に見て前後方向であれば、点線形状等他のパターンから成るも良い。また、帽子は、ヒサシ部１を有するものであれば、キャップ等の他の種類の帽子であっても良い。
【００１４】
以上のように、本発明は、ヒサシ部１が、樹脂製表生地２と、樹脂製裏生地３と、上記表生地２と裏生地３の間に介在した発泡樹脂から成る芯材４と、を有した積層構造であって、前後方向に平行に縞模様を形成するように、上記表生地２と裏生地３と芯材４とを溶着した溶着部５を設けたので、溶着部５によって復元力が弱まり（即ち、溶着部５が薄肉状ヒンジ部を形成して）、容易に丸めることができる。また、容易に製造することができる。
【００１５】
また、上記芯材４の発泡率を７％以上30％以下に設定したので、変形が容易で丸め易い。また、使用時の形状保持強度も十分に有する。
また、上記表生地２及び裏生地３がポリエステル糸を用いて伸縮性のある編み方をされた生地から成るとともに、上記芯材４がポリエチレンから成るので、安価に製造することができるとともに、容易に丸めることができ、しかも、表生地２・裏生地３の伸縮性と（内層の）発泡樹脂の芯材４との共働きによって、ヒサシ部１を丸めたり、展開する際の感触が優れ、快適な帽子として用い得る。
また、上記溶着部５に於て、上記芯材４が熱によって溶けて上記表生地２と裏生地３に浸みて一体化しているので、確実に溶着部５によって復元力を弱めてヒンジを形成でき、容易に丸めることができる。しかも、芯材４が位置づれせず、表生地２・裏生地３と一体状として、柔軟に丸めたり、展開して、長期にわたって使用できる。
【符号の説明】
【００１６】
１  ヒサシ部
２  表生地
３  裏生地
４  芯材
５  溶着部（融着部）
【図１】
2016011480.tif 000003
【図２】
2016011480.tif 000004
【図３】
2016011480.tif 000005
【図４】
2016011480.tif 000006
【図５】
2016011480.tif 000007
【図６】
2016011480.tif 000008